(57)【特許請求の範囲】
【請求項１】
無線通信システムのためのネットワークノードであって、
ユーザデバイスのグループにおける各ユーザデバイスに対するチェック要素を生成するように構成されるプロセッサであって、前記ユーザデバイスのグループにおける第１のユーザデバイスに対する前記チェック要素は、制御情報及び前記第１のユーザデバイスのアイデンティティに基づくものであり、前記ユーザデバイスのグループにおける後続のユーザデバイスの各々に対する前記チェック要素は、前記制御情報、前記後続のユーザデバイスの前記アイデンティティ及び前記ユーザデバイスのグループにおける前のユーザデバイスに対する前に生成されたチェック要素に基づくものであり、前記プロセッサは、各ユーザデバイスに対する前記チェック要素を前記制御情報に付加することによって、制御情報メッセージを形成するように構成される、プロセッサと、
前記制御情報メッセージを前記ユーザデバイスのグループに送信するように構成される送信機と、
を備え、
前記制御情報は、前記ユーザデバイスのグループに対する共通制御情報及び前記ユーザデバイスのグループにおける少なくとも１つのユーザデバイスに対するユーザデバイス固有の制御情報を含む、ネットワークノード。
【請求項２】
前記プロセッサは、さらに、
前記ユーザデバイスのグループに対する前記チェック要素が生成された順序に従って、前記ユーザデバイスのグループに対する前記チェック要素を付加することによって、前記制御情報メッセージを形成する
ように構成される、請求項１に記載のネットワークノード。
【請求項３】
前記プロセッサは、さらに、
後続のユーザデバイスの前記アイデンティティ、ならびに前記後続のユーザデバイスに対する前記チェック要素の前の、前記制御情報メッセージにおける全ての制御情報及びチェック要素に基づいて、前記後続のユーザデバイスに対する前記チェック要素を生成する
ように構成される、請求項１に記載のネットワークノード。
【請求項４】
前記制御情報は、前記ユーザデバイスのグループにおける全てのユーザデバイスに対するユーザデバイス固有の制御情報を含み、
前記プロセッサは、さらに、
各ユーザデバイスに対する前記チェック要素を連続的に付加する前に、各ユーザデバイスに対する前記ユーザデバイス固有の制御情報を、前記共通制御情報に連続的に付加することによって、前記制御情報メッセージを形成する
ように構成される、請求項１又は３に記載のネットワークノード。
【請求項５】
前記プロセッサは、さらに、
各ユーザデバイスに対するチェック要素を生成する
ように構成され、
前記第１のユーザデバイスに対する前記チェック要素は、前記共通制御情報、前記第１のユーザデバイスに対する前記ユーザデバイス固有の制御情報、及び前記第１のユーザデバイスの前記アイデンティティに基づくものであり、後続のユーザデバイスの各々に対する前記チェック要素は、前記共通制御情報、前記後続のユーザデバイス及び前記前のユーザデバイスに対する前記ユーザデバイス固有の制御情報、前記後続のユーザデバイスの前記アイデンティティ、及び前記前のユーザデバイスに対する前に生成されたチェック要素に基づくものである、
請求項４に記載のネットワークノード。
【請求項６】
前記プロセッサは、さらに、
関連付けられたユーザデバイス固有の制御情報と交互に配置された、各ユーザデバイスに対する前記チェック要素を連続的に付加することによって、前記制御情報メッセージを形成する
ように構成される、請求項５に記載のネットワークノード。
【請求項７】
前記ユーザデバイス固有の制御情報は、前記ユーザデバイスのグループにおけるユーザデバイスのサブグループに対するユーザデバイス固有の制御情報を含み、
前記プロセッサは、さらに、各ユーザデバイスに対するチェック要素を生成するように構成され、前記第１のユーザデバイスに対する前記チェック要素は、前記共通制御情報、前記第１のユーザデバイスが前記ユーザデバイスのサブグループに属する場合には前記第１のユーザデバイスに対する前記ユーザデバイス固有の制御情報、及び前記第１のユーザデバイスの前記アイデンティティに基づくものであり、
後続のユーザデバイスの各々に対する前記チェック要素は、前記共通制御情報、前記後続のユーザデバイスが前記ユーザデバイスのサブグループに属する場合には前記後続のユーザデバイスに対する前記ユーザデバイス固有の制御情報、及び前記前のユーザデバイスに対するユーザデバイス固有の制御情報、前記後続のユーザデバイスの前記アイデンティティ、及び前のユーザデバイスに対する前に生成されたチェック要素に基づくものである、
請求項１又は３に記載のネットワークノード。
【請求項８】
前記プロセッサは、さらに、
前記ユーザデバイスが前記ユーザデバイスのサブグループに属する場合に、各ユーザデバイスに対する前記チェック要素を、関連付けられたユーザデバイス固有の制御情報と共に連続的に付加することによって、前記制御情報メッセージを形成する
ように構成される、請求項７に記載のネットワークノード。
【請求項９】
前記プロセッサは、さらに、
信号対ノイズ比、信号対ノイズ干渉比、伝搬損失、信号対リークノイズ比、及び受信信号強度の１つ又は複数を含む無線チャネル又は無線環境特性に基づいて、前記ユーザデバイスのグループを形成する
ように構成される、請求項１から８のいずれか１項に記載のネットワークノード。
【請求項１０】
無線通信システムのためのユーザデバイスであって、
ユーザデバイスのグループに対してアドレス指定された制御情報メッセージを受信するように構成される受信機であって、前記制御情報メッセージは、制御情報及び前記ユーザデバイスのグループにおける各ユーザデバイスに対するチェック要素を含み、前記ユーザデバイスのグループにおける各ユーザデバイスに対する前記チェック要素は、前記制御情報に付加される、受信機と、
前記ユーザデバイスのアイデンティティ、ならびに前記ユーザデバイスに対する前記チェック要素の前の、前記制御情報メッセージにおける全ての制御情報及びチェック要素に基づいて、前記制御情報メッセージに対して冗長チェックを実行し、前記制御情報メッセージから前記制御情報を導出し、冗長チェックが肯定的である場合に、他のユーザデバイスのチェック要素を破棄するように構成されるプロセッサと、
を備え、
前記ユーザデバイスは、前記導出された制御情報に基づいて、前記無線通信システムにおいて通信を行うように構成され、
前記制御情報は、前記ユーザデバイスのグループに対する共通制御情報及び前記ユーザデバイスのグループにおける少なくとも１つのユーザデバイスに対するユーザデバイス固有の制御情報を含む、
ユーザデバイス。
【請求項１１】
前記プロセッサは、さらに、
前記制御情報に含まれる前記ユーザデバイスのグループに対する共通制御情報、及び前記制御情報に含まれる前記ユーザデバイスに対するユーザデバイス固有の制御情報のいずれかを導出する
ように構成される、請求項１０に記載のユーザデバイス。
【請求項１２】
前記プロセッサは、さらに、
前記共通制御情報、及び前記制御情報に含まれる前記ユーザデバイスのグループにおける少なくとも１つの他のユーザデバイスに対するユーザデバイス固有の制御情報に基づいて、前記ユーザデバイスに対する前記ユーザデバイス固有の制御情報を導出する
ように構成される、請求項１１に記載のユーザデバイス。
【請求項１３】
無線通信システムにおけるネットワークノードのための方法であって、
ユーザデバイスのグループにおける各ユーザデバイスに対するチェック要素を生成する段階であって、前記ユーザデバイスのグループにおける第１のユーザデバイスに対する前記チェック要素は、制御情報及び前記第１のユーザデバイスのアイデンティティに基づくものであり、前記ユーザデバイスのグループにおける後続のユーザデバイスの各々に対する前記チェック要素は、前記制御情報、前記後続のユーザデバイスの前記アイデンティティ及び前記ユーザデバイスのグループにおける前のユーザデバイスに対する前に生成されたチェック要素に基づくものである、段階と、
各ユーザデバイスに対する前記チェック要素を、前記制御情報に付加することによって、制御情報メッセージを形成する段階と、
前記制御情報メッセージを、前記ユーザデバイスのグループに送信する段階と、
を備え、
前記制御情報は、前記ユーザデバイスのグループに対する共通制御情報及び前記ユーザデバイスのグループにおける少なくとも１つのユーザデバイスに対するユーザデバイス固有の制御情報を含む、方法。
【請求項１４】
無線通信システムにおけるユーザデバイスのための方法であって、
ユーザデバイスのグループに対してアドレス指定された制御情報メッセージを受信する段階であって、前記制御情報メッセージは、制御情報及び前記ユーザデバイスのグループにおける各ユーザデバイスに対するチェック要素を含み、前記ユーザデバイスのグループにおける各ユーザデバイスに対する前記チェック要素は、前記制御情報に付加される、段階と、
前記ユーザデバイスのアイデンティティ、ならびに前記ユーザデバイスに対する前記チェック要素の前の、前記制御情報メッセージにおける全ての制御情報及びチェック要素に基づいて、前記制御情報メッセージに対して冗長チェックを実行する段階と、
前記制御情報メッセージから前記制御情報を導出し、冗長チェックが肯定的である場合に、他のユーザデバイスのチェック要素を破棄する段階と、
前記導出された制御情報に基づいて、前記無線通信システムにおいて通信を行う段階と、
を備え、
前記制御情報は、前記ユーザデバイスのグループに対する共通制御情報及び前記ユーザデバイスのグループにおける少なくとも１つのユーザデバイスに対するユーザデバイス固有の制御情報を含む、方法。
【請求項１５】
コンピュータプログラムであって、前記コンピュータプログラムがコンピュータ上で動作する場合に、請求項１３又は１４に記載の方法を実行するためのプログラムコードを含むコンピュータプログラム。
【発明の詳細な説明】
【技術分野】
【０００１】
本発明は、ネットワークノード及びユーザデバイスに関する。さらに、本発明は、対応する方法、コンピュータプログラム、及びコンピュータプログラム製品にも関する。
【背景技術】
【０００２】
３ＧＰＰロングタームエボリューション（ＬＴＥ）セルラ通信システムのダウンリンクは、時間及び周波数リソースユニットを送信に用いる直交周波数分割多重（ＯＦＤＭ）送信に基づくものである。リソース要素（ＲＥ）と称される最小の時間−周波数リソースユニットは、ＯＦＤＭシンボルにおける単一の複合正弦波周波数（サブキャリア）からなる。異なるユーザ機器（ＵＥ）への送信をスケジューリングする目的のために、リソース要素は、物理的リソースブロック（ＰＲＢ）と称される、より大きいユニットにグループ化される。ＰＲＢは、サブフレームの半分を占有し、これは、「スロット」と称され、時間ドメインにおける６つ又は７つの連続的なＯＦＤＭシンボルの間隔（合計で０．５ミリ秒）、及び周波数ドメインにおける１２の連続的なサブキャリア周波数（合計で１８０ｋＨｚ）からなる。
【０００３】
ＬＴＥにおけるダウンリンク（及びアップリンク）送信は、直交方式で行われる。すなわち、各ダウンリンク（／アップリンク）サブフレームにおいて、ユーザは、物理リソースブロックの重複しないセットへのアクセスを許可されることによって、直交無線リソースにおいて、受信（／送信）するようにスケジューリングされる。３ＧＰＰ  ＬＴＥ−Ａシステムのダウンリンクは、マルチユーザ多入力多出力（ＭＵ−ＭＩＭＯ）送信をさらにサポートする。ここで、ユーザのセットは、時間−周波数リソースの同じセットへのアクセスを許可されつつ、（直交無線チャネルに対応する）異なるアンテナ空間層において直交多重化される。このように、より多くのユーザが、基地局によって同時にサービスされることが可能である。ＬＴＥ−Ａのためのさらなる非直交多重アクセススキームが、現在、３ＧＰＰ標準化団体によって調査されている。
【０００４】
ＬＴＥシステムにおけるダウンリンク（／アップリンク）送信の許可は、ＬＴＥによって提供されるダウンリンク制御チャネル、すなわち、物理ダウンリンク制御チャネル（ＰＤＣＣＨ）及び進化型ＰＤＣＣＨ（ＥＰＤＣＣＨとしても知られる）の１つにおいて送信されるスケジューリング許可によって、ＵＥに割り当てられる。ＰＤＣＣＨは、各サブフレームの先頭における３つまでのＯＦＤＭシンボルを占有可能な制御領域において送信され、サブフレームの残りの部分が、物理ダウンリンク共有チャネル（ＰＤＳＣＨ）の送信に用いられるデータ領域を形成する。一方でＥＰＤＣＣＨは、ＰＤＳＣＨリソース（すなわち、ＰＲＢペア）内において、より高い層の無線リソース制御（ＲＲＣ）シグナリングを介して構成されるＵＥ固有の制御チャネルからなる。ＵＥは、ＵＥ固有の制御情報を、ＰＤＣＣＨ領域又はＥＰＤＣＣＨ領域のいずれかにおいてサーチするように構成されてよく、ＰＤＣＣＨ領域は、セルに接続される全てのユーザに共通の制御情報を受信すべくモニタされる。
【０００５】
ＰＤＣＣＨ及びＥＰＤＣＣＨの両方は、ダウンリンク及びアップリンクにおける動的なスケジューリング割り当てを含む様々な目的のために、制御情報のユニキャスト送信をサポートする。さらに、ＰＤＣＣＨは、共通制御情報の静的マルチキャスト送信をサポートし、複数のＵＥは、静的又は半静的に（すなわち、数百の送信時間間隔（ＴＴＩ）について）、ネットワークによってグループ化され、グループにアドレス指定された制御情報をデコードするために、例えば、共通の無線ネットワーク一時識別子（ＲＮＴＩ）を割り当てられる。レガシＬＴＥシステムは、直交する（従って、異なる）無線リソースにアクセスするようＵＥをスケジューリングするので、ＴＴＩベースで形成されたユーザグループに対する制御情報の動的マルチキャスト送信は、サポートされていない。
【発明の概要】
【０００６】
本発明の実施形態の目的は、従来の解決手段の欠点及び問題を軽減又は解決する解決手段を提供することである。
【０００７】
本明細書及び対応する特許請求の範囲において、「又は」は、「及び」及び「又は」を包含する数学的ＯＲとして理解されるべきであり、ＸＯＲ（排他的ＯＲ）として理解されるべきではない。
【０００８】
上述の目的及びさらなる目的が、独立請求項の主題によって解決される。さらに、本発明の有利な実装形式が、従属請求項において見出されることができる。
【０００９】
本発明の第１の態様によれば、上述の目的及び他の目的は、無線通信システムのためのネットワークノードによって実現される。ネットワークノードは、
ユーザデバイスのグループにおける各ユーザデバイスに対するチェック要素を生成するように構成されるプロセッサであって、ユーザデバイスのグループにおける第１のユーザデバイスに対するチェック要素は、制御情報及び第１のユーザデバイスのアイデンティティに基づくものであり、ユーザデバイスのグループにおける後続のユーザデバイスの各々に対するチェック要素は、制御情報、後続のユーザデバイスのアイデンティティ及びユーザデバイスのグループにおける前のユーザデバイスに対する前に生成されたチェック要素に基づくものであり、プロセッサは、各ユーザデバイスに対するチェック要素を制御情報に付加することによって、制御情報メッセージを形成するように構成される、プロセッサと、
制御情報メッセージをユーザデバイスのグループに送信するように構成される送信機と、
を備える。
【００１０】
本開示におけるチェック要素は、例えば、ＣＲＣコードワード又は単にＣＲＣとしても知られる巡回冗長検査（ＣＲＣ）チェックワードであってよい。
【００１１】
さらに、ユーザデバイスのアイデンティティ（ｉｄｅｎｔｉｔｙ）は、ユーザデバイスアイデンティティ情報又はユーザデバイス識別子又はユーザデバイスアイデンティティ、又はユーザアドレスとしても知られる。このようなアイデンティティの例は、ユーザデバイスの無線ネットワーク一時識別子（ＲＮＴＩ）であってよい。
【００１２】
第１の態様に係る本ネットワークノードは、従来の解決手段に対して、多数の利点を提供する。第１の態様に係るネットワークノードの利点は、共通の制御情報が、グループにおける全てのユーザデバイスに対して複数回送信されなくてよいことである。これにより、本解決手段は、複数のユーザデバイスに制御情報を送信するために、従来の解決手段に対して、制御シグナリングオーバヘッドを減少させる。従来の解決手段と比較して、本解決手段は、ネットワークノードが、動的な方式、例えば、送信時間間隔ベースで形成されたユーザデバイスのグループに、例えば、グループ共通のＲＮＴＩのようなユーザデバイスのグループ共通のアドレスの定義及び／又は利用を要求することなく、制御情報をアドレス指定することを可能にする。
【００１３】
さらに、第１の態様に係る本ネットワークノードの実施形態は、動的に割り当てられたユーザデバイスグループに属する複数のユーザデバイスに対して、共通の制御情報が、当該グループにおける複数のユーザデバイスに一度だけ送信され、当該ユーザデバイスの数に相当する回数送信されることがないように、ダウンリンク制御信号の改善されたマルチキャストを提供する。これにより、ユーザデバイスのグループをアドレス指定する場合の従来の解決手段に対して、制御シグナリングオーバヘッドの減少が、本ネットワークノードにより実現される。
【００１４】
第１の態様に係るネットワークノードの第１の可能な実装形式において、プロセッサは、さらに、
ユーザデバイスのグループに対するチェック要素が生成された順序に従って、ユーザデバイスのグループに対するチェック要素を付加することによって、制御情報メッセージを形成する
ように構成される。
【００１５】
第１の可能な実装形式は、各ユーザデバイスが、制御情報メッセージ全体の受信を待つことなく、その最後のビットの受信直後にそれ自体のチェック要素を検出できるという利点を有する。さらなる利点は、受信機が、受信された制御情報メッセージに対して、制御メッセージに付加されたチェック要素の数を認識することも、一連の付加されたチェック要素におけるそれ自体のチェック要素の位置を認識することもなく、連続的にチェック要素計算を実行できることである。
【００１６】
第１の態様の第１の可能な実装形式又は第１の態様自体に係るネットワークノードの第２の可能な実装形式において、制御情報は、ユーザデバイスのグループに対する共通制御情報、及びユーザデバイスのグループにおける少なくとも１つのユーザデバイスに対するユーザデバイス固有の制御情報のいずれかを含む。
【００１７】
第２の可能な実装形式は、制御情報メッセージが、ユーザデバイス固有の制御情報を（も）送信するために利用可能であり、これにより、各ユーザデバイスに対して、ユーザデバイス固有の制御情報を含むさらなるユニキャスト制御メッセージの送信を回避できるという利点を有する。これにより、複数のユーザデバイスに制御情報を送信するための制御シグナリングオーバヘッドを、従来の解決手段と比較して減少させることができる。
【００１８】
第１の態様の第２の可能な実装形式に係るネットワークノードの第３の可能な実装形式において、プロセッサは、さらに、
後続のユーザデバイスのアイデンティティ、ならびに後続のユーザデバイスに対するチェック要素の前の、制御情報メッセージにおける全ての制御情報及びチェック要素に基づいて、後続のユーザデバイスに対するチェック要素を生成する
ように構成される。
【００１９】
第３の可能な実装形式は、チェック要素が、制御メッセージにおけるビットの連続的なセグメントに対して計算され、従って、ユーザデバイスによって、単純な検出アルゴリズムを用いて、マルチキャスト制御メッセージがユーザデバイスにアドレス指定されたか否かを検出することができるという利点を有する。
【００２０】
第１の態様の第２又は第３の可能な実装形式に係るネットワークノードの第４の可能な実装形式において、制御情報は、ユーザデバイスのグループにおける全てのユーザデバイスに対するユーザデバイス固有の制御情報を含み、
プロセッサは、さらに、
各ユーザデバイスに対するチェック要素を連続的に付加する前に、各ユーザデバイスに対するユーザデバイス固有の制御情報を、共通制御情報に連続的に付加することによって、制御情報メッセージを形成する
ように構成される。
【００２１】
第４の可能な実装形式は、チェック要素と制御情報とが、制御メッセージの異なる部分に好適に配置されるという利点を有する。これにより、各ユーザデバイスは、制御情報メッセージ全体の受信を待つことなく、その最後のビットの受信直後にそれ自体のチェック要素を検出できる。さらなる利点は、ユーザデバイスが、受信された制御情報メッセージに対して、制御メッセージに付加されたチェック要素の数を認識することも、一連の付加されたチェック要素におけるそれ自体のチェック要素の位置を認識することもなく、連続的にチェック要素計算を実行できることである。
【００２２】
第１の態様の第４の可能な実装形式に係るネットワークノードの第５の可能な実装形式において、プロセッサは、さらに、
各ユーザデバイスに対するチェック要素を生成する
ように構成され、
第１のユーザデバイスに対するチェック要素は、共通制御情報、第１のユーザデバイスに対するユーザデバイス固有の制御情報、及び第１のユーザデバイスのアイデンティティに基づくものであり、後続のユーザデバイスの各々に対するチェック要素は、共通制御情報、後続のユーザデバイス及び前のユーザデバイスに対するユーザデバイス固有の制御情報、後続のユーザデバイスのアイデンティティ、及び前のユーザデバイスに対する前に生成されたチェック要素に基づくものである。
【００２３】
第５の可能な実装形式は、共通の制御情報が、グループにおける全てのユーザデバイスに対して複数回送信されなくてよいという利点を有する。これにより、本解決手段は、複数のユーザデバイスに制御情報を送信するために、従来の解決手段に対して、シグナリングオーバヘッドの減少を実現する。
【００２４】
第１の態様の第５の可能な実装形式に係るネットワークノードの第６の可能な実装形式において、プロセッサは、さらに、
関連付けられたユーザデバイス固有の制御情報と交互に配置された、各ユーザデバイスに対するチェック要素を連続的に付加することによって、制御情報メッセージを形成する
ように構成される。
【００２５】
第６の可能な実装形式は、制御情報メッセージにおけるユーザデバイスに対するユーザデバイス固有の制御情報が、当該ユーザデバイスに対するチェック要素近傍に配置されるという利点を有する。従って、それ自体のチェック要素を検出すると、受信機は、それ自体のチェック要素の前の１番目のビットから開始して、遡って読み出すことによって、それ自体のユーザデバイス固有の制御情報を抽出可能となる。この実装形式は、それ自体のチェックワードをデコードすると、ユーザデバイスが、一切のさらなるシグナリングオーバヘッドなく、それ自体のユーザ固有の制御情報の位置を暗黙的に認識するというさらなる利点を有する。
【００２６】
第１の態様の第１から第３の可能な実装形式のいずれか、又は第１の態様自体に係るネットワークノードの第７の可能な実装形式において、ユーザデバイス固有の制御情報は、ユーザデバイスのグループにおけるユーザデバイスのサブグループに対するユーザデバイス固有の制御情報を示し、
プロセッサは、さらに、
各ユーザデバイスに対するチェック要素を生成する
ように構成され、
第１のユーザデバイスに対するチェック要素は、共通制御情報、第１のユーザデバイスがユーザデバイスのサブグループに属する場合には第１のユーザデバイスに対するユーザデバイス固有の制御情報、及び第１のユーザデバイスのアイデンティティに基づくものであり、後続のユーザデバイスの各々に対するチェック要素は、共通制御情報、後続のユーザデバイスがユーザデバイスのサブグループに属する場合には後続のユーザデバイスに対するユーザデバイス固有の制御情報、及び前のユーザデバイスに対するユーザデバイス固有の制御情報、後続のユーザデバイスのアイデンティティ、及び前のユーザデバイスに対する前に生成されたチェック要素に基づくものである。
【００２７】
第７の可能な実装形式は、マルチキャスト制御メッセージが、ユーザデバイスのサブグループに対するユーザデバイス固有の制御情報を含み、これにより、制御シグナリングオーバヘッドを減少させることができるという利点を有する。
【００２８】
第１の態様の第７の可能な実装形式に係るネットワークノードの第８の可能な実装形式において、プロセッサは、さらに、
ユーザデバイスがユーザデバイスのサブグループに属する場合に、各ユーザデバイスに対するチェック要素を、関連付けられたユーザデバイス固有の制御情報と共に連続的に付加することによって、制御情報メッセージを形成する
ように構成される。
【００２９】
第８の可能な実装形式は、制御情報メッセージにおけるユーザデバイスに対するユーザデバイス固有の制御情報が、当該ユーザデバイスに対するチェック要素近傍に配置されるという利点を有する。従って、それ自体のチェック要素を検出すると、ユーザデバイスは、それ自体のチェック要素の前の１番目のビットから開始して、遡って読み出すことによって、それ自体のユーザデバイス固有の制御情報を抽出可能となる。
【００３０】
第１の態様の上述の可能な実装形式のいずれか、又は第１の態様自体に係るネットワークノードの第９の可能な実装形式において、プロセッサは、さらに、
信号対ノイズ比、信号対ノイズ干渉比、伝搬損失、信号対リークノイズ比、及び受信信号強度の１つ又は複数を含む無線チャネル又は無線環境特性に基づいて、ユーザデバイスのグループを形成する
ように構成される。
【００３１】
しかしながら、基地局への推定距離、推定経路損失、比例公平スケジューリング基準、期待スループット、レイテンシ等のような他の基準も、ユーザデバイスのグループの形成に利用可能である。
【００３２】
第９の可能な実装形式は、マルチキャスト制御メッセージを受信することが意図されるユーザデバイスが、異なる基準に基づいて選択可能であり、これにより、解決手段を、様々なデータ送信及びスケジューリングスキームをサポートするのに好適にするという利点を有する。
【００３３】
第１の態様の上述の可能な実装形式のいずれか、又は第１の態様自体に係るネットワークノードの第１０の可能な実装形式において、送信機は、さらに、
制御情報メッセージを、同じ時間及び周波数無線リソースにおいて、ユーザデバイスのグループに送信する
ように構成される。
【００３４】
第１０の可能な実装形式は、制御情報をユーザデバイスのグループに送信するために必要とされる時間−周波数リソースを減少させる。第１０の可能な実装形式は、さらに、ネットワークノードによって動的に選択された少なくとも２つのユーザデバイスのグループに制御情報をマルチキャストするために、送信時間間隔ベースのような効率的な態様を実現する。
【００３５】
第１の態様の上述の可能な実装形式のいずれか、又は第１の態様自体に係るネットワークノードの第１１の可能な実装形式において、ユーザデバイスのグループは、時間及び周波数リソースの共通セット又は重複セットにおいて送信されたマルチユーザ重畳送信データ信号を受信するために選択されたユーザデバイスを含む。
【００３６】
第１１の可能な実装形式は、データチャネルの重畳された送信又は受信のために選択されたユーザデバイスに、制御情報を送信するためのシグナリングオーバヘッドを減少させるという利点を有する。
【００３７】
本発明の第２の態様によれば、上述の目的及び他の目的は、無線通信システムのためのユーザデバイスにより実現される。ユーザデバイスは、
ユーザデバイスのグループに対してアドレス指定された制御情報メッセージを受信するように構成される受信機であって、制御情報メッセージは、制御情報、及びユーザデバイスのグループにおける各ユーザデバイスに対するチェック要素を含み、ユーザデバイスのグループにおける各ユーザデバイスに対するチェック要素は、制御情報に付加される、受信機と、
ユーザデバイスのアイデンティティ、ならびにユーザデバイスに対するチェック要素の前の、制御情報メッセージにおける全ての制御情報及びチェック要素に基づいて、制御情報メッセージに対して冗長チェックを実行し、制御情報メッセージから制御情報を導出し、冗長チェックが肯定的である場合に、他のユーザデバイスのチェック要素を破棄するように構成されるプロセッサと、
を備える。
【００３８】
ユーザデバイスは、導出された制御情報に基づいて、無線通信システムにおいて通信を行うように構成される。
【００３９】
第２の態様に従って、制御情報メッセージを受信し、制御情報メッセージを処理することによって、多数の利点が本ユーザデバイスによって提供される。
【００４０】
利点は、グループにおける全てのユーザデバイスが、制御情報メッセージを連続的にストリーミングすることによって、ブラインドチェックデコードを実行できることである。さらに、第２の態様のユーザデバイスは、例えば、送信時間間隔ベース等で動的に選択された複数のユーザデバイスのグループにアドレス指定されたマルチキャストダウンリンク制御信号を、効率的に受信、検出、及びデコードするための解決手段を提供する。
【００４１】
第２の態様に係るユーザデバイスの第１の可能な実装形式において、プロセッサは、さらに、制御情報に含まれるユーザデバイスのグループに対する共通制御情報、及び制御情報に含まれるユーザデバイスに対するユーザデバイス固有の制御情報のいずれかを導出する
ように構成される。
【００４２】
任意選択的に、ユーザデバイスの第１の可能な実装形式は、他のユーザデバイスのユーザデバイス固有の制御情報を破棄することをさらに含む。
【００４３】
第１の可能な実装形式は、ユーザデバイスが、複数のユーザデバイスにマルチキャストされた共通制御情報から制御情報を検索し、これにより、制御情報の送信専用の送信リソースを効率的に利用するという利点を有する。
【００４４】
第２の態様の第１の可能な実装形式に係るユーザデバイスの第２の可能な実装形式において、プロセッサは、さらに、
制御情報に含まれる、共通制御情報、及びユーザデバイスのグループにおける少なくとも１つの他のユーザデバイスに対するユーザデバイス固有の制御情報に基づいて、ユーザデバイスに対するユーザデバイス固有の制御情報を導出する
ように構成される。
【００４５】
第２の可能な実装形式は、ユーザデバイスが、共通制御情報を送信するために用いられた同じ制御情報メッセージから、それ自体のユーザデバイス固有の制御情報を（も）検索し、これにより、さらなるユニキャスト制御メッセージを受信する必要を回避するという利点を有する。さらに、制御シグナリングオーバヘッドが、ユーザデバイスのサブグループのみに対するユーザデバイス固有の情報を含むマルチキャスト制御メッセージを送信することによって、効果的に減少する。
【００４６】
本発明の第３の態様によれば、上述の目的及び他の目的は、無線通信システムにおけるネットワークノードのための方法により実現される。方法は、
ユーザデバイスのグループにおける各ユーザデバイスに対するチェック要素を生成する段階であって、ユーザデバイスのグループにおける第１のユーザデバイスに対するチェック要素は、制御情報及び第１のユーザデバイスのアイデンティティに基づくものであり、ユーザデバイスのグループにおける後続のユーザデバイスの各々に対するチェック要素は、制御情報、後続のユーザデバイスのアイデンティティ及びユーザデバイスのグループにおける前のユーザデバイスに対する前に生成されたチェック要素に基づくものである、段階と、
各ユーザデバイスに対するチェック要素を、制御情報に付加することによって、制御情報メッセージを形成する段階と、
制御情報メッセージを、ユーザデバイスのグループに送信する段階と、
を備える。
【００４７】
第３の態様に係る方法の第１の可能な実装形式において、方法は、
ユーザデバイスのグループに対するチェック要素が生成された順序に従って、ユーザデバイスのグループに対するチェック要素を付加することによって、制御情報メッセージを形成する段階
をさらに備える。
【００４８】
第３の態様の第１の可能な実装形式又は第３の態様自体に係る方法の第２の可能な実装形式において、制御情報は、ユーザデバイスのグループに対する共通制御情報、及びユーザデバイスのグループにおける少なくとも１つのユーザデバイスに対するユーザデバイス固有の制御情報のいずれかを含む。
【００４９】
第３の態様の第２の可能な実装形式に係る方法の第３の可能な実装形式において、方法は、
後続のユーザデバイスのアイデンティティ、ならびに後続のユーザデバイスに対するチェック要素の前の、制御情報メッセージにおける全ての制御情報及びチェック要素に基づいて、後続のユーザデバイスに対するチェック要素を生成する段階
をさらに備える。
【００５０】
第３の態様の第２又は第３の可能な実装形式に係る方法の第４の可能な実装形式において、制御情報は、ユーザデバイスのグループにおける全てのユーザデバイスに対するユーザデバイス固有の制御情報を含み、方法は、
各ユーザデバイスに対するチェック要素を連続的に付加する前に、各ユーザデバイスに対するユーザデバイス固有の制御情報を、共通制御情報に連続的に付加することによって、制御情報メッセージを形成する段階
をさらに備える。
【００５１】
第３の態様の第４の可能な実装形式に係る方法の第５の可能な実装形式において、方法は、
各ユーザデバイスに対するチェック要素を生成する段階
をさらに備え、
第１のユーザデバイスに対するチェック要素は、共通制御情報、第１のユーザデバイスに対するユーザデバイス固有の制御情報、及び第１のユーザデバイスのアイデンティティに基づくものであり、後続のユーザデバイスの各々に対するチェック要素は、共通制御情報、後続のユーザデバイス及び前のユーザデバイスに対するユーザデバイス固有の制御情報、後続のユーザデバイスのアイデンティティ、及び前のユーザデバイスに対する前に生成されたチェック要素に基づくものである。
【００５２】
第３の態様の第５の可能な実装形式に係る方法の第６の可能な実装形式において、方法は、
関連付けられたユーザデバイス固有の制御情報と交互に配置された、各ユーザデバイスに対するチェック要素を連続的に付加することによって、制御情報メッセージを形成する段階
をさらに備える。
【００５３】
第３の態様の第１から第３の可能な実装形式のいずれか、又は第３の態様自体に係る方法の第７の可能な実装形式において、ユーザデバイス固有の制御情報は、ユーザデバイスのグループにおけるユーザデバイスのサブグループに対するユーザデバイス固有の制御情報を示し、方法は、
各ユーザデバイスに対するチェック要素を生成する段階
をさらに備え、
第１のユーザデバイスに対するチェック要素は、共通制御情報、第１のユーザデバイスがユーザデバイスのサブグループに属する場合には第１のユーザデバイスに対するユーザデバイス固有の制御情報、及び第１のユーザデバイスのアイデンティティに基づくものであり、後続のユーザデバイスの各々に対するチェック要素は、共通制御情報、後続のユーザデバイスがユーザデバイスのサブグループに属する場合には後続のユーザデバイスに対するユーザデバイス固有の制御情報、及び前のユーザデバイスに対するユーザデバイス固有の制御情報、後続のユーザデバイスのアイデンティティ、及び前のユーザデバイスに対する前に生成されたチェック要素に基づくものである。
【００５４】
第３の態様の第７の可能な実装形式に係る方法の第８の可能な実装形式において、方法は、
ユーザデバイスがユーザデバイスのサブグループに属する場合に、各ユーザデバイスに対するチェック要素を、関連付けられたユーザデバイス固有の制御情報と共に連続的に付加することによって、制御情報メッセージを形成する段階
をさらに備える。
【００５５】
第３の態様の上述の可能な実装形式のいずれか、又は第３の態様自体に係る方法の第９の可能な実装形式において、方法は、
信号対ノイズ比、信号対ノイズ干渉比、伝搬損失、信号対リークノイズ比、及び受信信号強度の１つ又は複数を含む無線チャネル又は無線環境特性に基づいて、ユーザデバイスのグループを形成する段階
をさらに備える。
【００５６】
第３の態様の上述の可能な実装形式のいずれか、又は第３の態様自体に係る方法の第１０の可能な実装形式において、方法は、
制御情報メッセージを、同じ時間及び周波数無線リソースにおいて、ユーザデバイスのグループに送信する段階
をさらに備える。
【００５７】
第３の態様の上述の可能な実装形式のいずれか、又は第３の態様自体に係る方法の第１１の可能な実装形式において、ユーザデバイスのグループは、時間及び周波数リソースの共通セット又は重複セットにおける重畳された送信又は受信のために選択されたユーザデバイスを含む。
【００５８】
本発明の第４の態様によれば、上述の目的及び他の目的は、無線通信システムにおけるユーザデバイスのための方法により実現される。方法は、
ユーザデバイスのグループに対してアドレス指定された制御情報メッセージを受信する段階であって、制御情報メッセージは、制御情報及びユーザデバイスのグループにおける各ユーザデバイスに対するチェック要素を含み、ユーザデバイスのグループにおける各ユーザデバイスに対するチェック要素は、制御情報に付加される、段階と、
ユーザデバイスのアイデンティティ、ならびにユーザデバイスに対するチェック要素の前の、制御情報メッセージにおける全ての制御情報及びチェック要素に基づいて、制御情報メッセージに対して冗長チェックを実行する段階と、
制御情報メッセージから制御情報を導出し、冗長チェックが肯定的である場合に、他のユーザデバイスのチェック要素を破棄する段階と、
導出された制御情報に基づいて、無線通信システムにおいて通信を行う段階と、
を備える。
【００５９】
第４の態様に係る方法の第１の可能な実装形式において、方法は、
制御情報に含まれるユーザデバイスのグループに対する共通制御情報、及び制御情報に含まれるユーザデバイスに対するユーザデバイス固有の制御情報のいずれかを導出する段階
をさらに備える。
【００６０】
第４の態様の第１の可能な実装形式に係る方法の第２の可能な実装形式において、方法は、
制御情報に含まれる、共通制御情報、及びユーザデバイスのグループにおける少なくとも１つの他のユーザデバイスに対するユーザデバイス固有の制御情報に基づいて、ユーザデバイスに対するユーザデバイス固有の制御情報を導出する段階
をさらに備える。
【００６１】
第３及び第４の態様に係る方法の利点は、それぞれ、第１及び第２の態様に係るネットワークノード及びユーザデバイスのものと同じである。
【００６２】
本発明は、コード手段を特徴とするコンピュータプログラムにさらに関する。コード手段は、処理手段によって実行された場合に、本発明に係るあらゆる方法を、当該処理手段に実行させる。さらに、本発明は、コンピュータ可読媒体及び上述のコンピュータプログラムを備えるコンピュータプログラム製品にさらに関する。当該コンピュータプログラムは、コンピュータ可読媒体に含まれ、これは、ＲＯＭ（リードオンリメモリ）、ＰＲＯＭ（プログラマブルＲＯＭ）、ＥＰＲＯＭ（消去可能ＰＲＯＭ）、フラッシュメモリ、ＥＥＰＲＯＭ（電気的ＥＰＲＯＭ）及びハードディスクドライブのグループからの１つ又は複数を含む。
【００６３】
さらに、本発明の適用及び利点が、以下の詳細な説明から明らかとなろう。
【図面の簡単な説明】
【００６４】
添付図面は、異なる本発明の実施形態を明確化及び説明することを意図するものである。
【図１】本発明の実施形態に係るネットワークノードを示す。
【図２】本発明の実施形態に係る方法を示す。
【図３】本発明の実施形態に係るユーザデバイスを示す。
【図４】本発明の実施形態に係る方法を示す。
【図５】本発明の実施形態に係るマルチキャスト制御メッセージのフォーマットを示す。
【図６】本発明のさらなる実施形態に係るマルチキャスト制御メッセージのフォーマットを示す。
【図７】本発明のさらなる実施形態に係るマルチキャスト制御メッセージのフォーマットを示す。
【図８】本発明のさらなる実施形態に係るマルチキャスト制御メッセージのフォーマットを示す。
【図９】本発明のさらなる実施形態に係るマルチキャスト制御メッセージのフォーマットを示す。
【図１０】本発明の実施形態に係る無線通信システムを示す。
【発明を実施するための形態】
【００６５】
無線通信における近年の進歩により、非直交多重アクセス（ＭＡ）スキームへの関心が再燃している。ここで、ＵＥのグループは、時間−周波数リソースの同じセット（すなわち、リソースブロック（ＲＢ）、リソースブロックグループ（ＲＢＧ）、サブバンド）において、又はその部分的重複セットにおいて、データストリームを（ダウンリンクにおいて）受信又は（アップリンクにおいて）送信するように、ＴＴＩベースで動的にスケジューリングされる。これらの技術の例は、低密度拡散多重アクセス（ＬＤＳ）、コンスタレーション拡張多重アクセス（ＣＥＭＡ）及びその適応レートバージョン（ＲＡ−ＣＥＭＡ）、半直交多重アクセス（ＳＯＭＡ）、ＮＴＴ非直交多重アクセス（ＮＯＭＡ）スキーム等を含む。これらの技術は、データチャネルのスペクトル効率を向上可能であるが、制御情報のユニキャスト送信を採用することにより、ＴＴＩ当たりにスケジューリングされるユーザ数の増加に起因して、制御チャネルの容量を容易に飽和させ得る。一方、無線リソースの割り当てのような、制御情報の大部分は、時間−周波数リソースの同じセットにおいて、データストリームを（ダウンリンクにおいて）受信又は（アップリンクにおいて）送信するようにスケジューリングされるＵＥのグループにおける全てのＵＥに共通である。ＬＴＥダウンリンク制御情報（ＤＣＩ）フォーマットにおいてリソースブロックの割り当てに確保される制御ビットの部分は、最大でＤＣＩ全体の５９％に達することがある。より大きいキャリア帯域幅が最大で２００ＭＨｚに達することが予測される、又は複数のワイドバンドコンポーネントキャリアが集約される５Ｇネットワークの発展に伴い、制御情報のＲＢフィールドは、ＤＣＩのさらにより大部分を占有する。ＮＯＭＡ／ＳＯＭＡ／ＲＥＭＡにおいて、我々が、ＲＢ又は他の共通制御情報をグループ化されたＵＥに一度だけ送信することができると、制御オーバヘッド全体は、大幅に減少する。これに関連して、制御情報の動的マルチキャスト送信、すなわち、共通ＤＣＩ又はサーチ空間ＵＥグループを通して、ＴＴＩベースで動的にアドレス指定することにより、大幅なシグナリングオーバヘッド減少、及びより進歩したデータ送信方法が、実現されている。
【００６６】
ＬＴＥ無線ネットワークでは、ＤＣＩは、制御情報データｄ、及びこれに続く巡回冗長検査（ＣＲＣ）ワードｃを含む制御情報メッセージ（以下、ＤＣＩパケット又はパケットとも称される）で、ＵＥに送信される。このようなＣＲＣワードｃは、情報ビットｄ及びレシピエントＵＥの識別子ｉｚの関数として計算される。典型的なＬＴＥ構成によれば、ＷビットのＣＲＣは、初期内容が固定値に設定されるＷビットのシフト−レジスタを用いて計算される。ＷビットのＣＲＣワードは、そこで、
ｃ１＝ＣＲＣ（ｄ；ｉ１）
を得るために、アドレス指定されたＵＥの識別子ｉｚに、ビット毎にモジュロ２で加算される（すなわち、ＣＲＣワードは識別子とスクランブルされる）。ここで、ｉ１は、レシピエントＵＥのＵＥ識別子（例えば、ＲＮＴＩ）である。
【００６７】
識別子がｉ２である第２のＵＥに同じ制御情報ｄが送信されなければならない場合、同じ制御情報ｄ、及びこれに続くＣＲＣワード
ｃ２'＝ＣＲＣ（ｄ；ｉ２）
を含む２番目の制御情報パケットを送信することは、好適ではない。
【００６８】
上述のＷビットのＣＲＣワードは、ＣＲＣ検出メカニズム又は任意の他の種類のエラー検出コードを用いて計算可能であることが意図される。
【００６９】
代わりに、本発明の実施形態は、マルチキャスト制御メッセージが制御メッセージ自体においてアドレス指定されるＵＥのグループのアイデンティティをエンコードするための新たな解決手段を提案する。新たな解決手段によれば、各レシピエントＵＥが、制御情報メッセージを検出するために、いずれのＵＥグループ固有の情報（例えば、ＵＥグループ固有のアイデンティティ又はＵＥグループのチェック要素）も参照することを必要とせず、グループにおける他のＵＥのアイデンティティ又はチェック要素を認識することも必要としないように、全てのＵＥのアイデンティティは、個々のチェック要素によって、制御情報メッセージに含まれる。マルチキャスト制御メッセージ内で各チェック要素を生成するために用いられるＵＥ識別子は、例えば、ＬＴＥシステムによって定義されるようなＵＥ  ＲＮＴＩ、又はＵＥ  ＲＮＴＩの一部からなってよい。
【００７０】
従って、本発明の実施形態は、ネットワークノード及びユーザデバイス、ならびに対応する方法に関する。本開示において、本発明の実施形態は、通常、ＬＴＥシステムに関連して説明される。従って、ＬＴＥの用語、システム概念等が用られる。しかしながら、本解決手段は、このようなＬＴＥシステムに限定されるものではなく、任意の好適な無線通信システムにおいて適用可能であることを理解されたい。従って、以下に説明される実施形態において、ユーザデバイス及びＵＥという用語は、両方とも、本開示において交換可能に用いられる。さらに、本制御情報メッセージＭは、ＬＴＥシステムにおけるＤＣＩに対応する。ユーザデバイスのアイデンティティは、例えば、ＬＴＥシステムにおけるＲＮＴＩに対応する。以下の開示におけるチェック要素は、巡回冗長検査（ＣＲＣ）チェックワードもしくはＣＲＣコードワード、又は単にＣＲＣに対応する。
【００７１】
図１は、本発明の実施形態に係るネットワークノード１００を示す。ネットワークノード１００は、この例示的な実施形態において、通信手段１０８により送信機１０４と通信可能に結合されるプロセッサ１０２を備える。通信手段１０８は、図１におけるプロセッサ１０２と送信機１０４との間の点線の矢印として示される。通信手段１０８は、当技術分野で周知の技術に従う。通信手段１０８は、例えば、プロセッサ１０２と送信機１０４との間におけるデータの転送又は制御シグナリングに用いられてよい。この特定の実施形態におけるネットワークノード１００は、プロセッサ１０２が送信機１０４を動作させる（又は制御する）制御手段１１０をさらに備える。制御手段は、プロセッサ１０２から送信機１０４への矢印により示される。ネットワークノード１００は、無線通信システム５００における送信のための送信機１０４と結合されるアンテナ手段１０６をさらに備える。任意選択的に、送信機１０４は、図１の実施形態において示される、無線通信システム５００における送信及び受信のためのトランシーバの一部であってよい。ネットワークノード１００は、任意選択的に、有線の通信手段１１２をさらに有してよく、これは、ネットワークノード１００が、無線ネットワークコントローラ等のような他のネットワークノード又は他のネットワークエンティティとの通信を行うことを可能にする。
【００７２】
本解決手段によれば、ネットワークノード１００のプロセッサ１０２は、ユーザデバイス３００ａ，…，３００ｚのグループにおける各ユーザデバイス３００ｚに対して、（ＣＲＣコードワードのような）チェック要素を生成するように構成される（図１０参照）。ユーザデバイス３００ａ，…，３００ｚのグループにおける第１のユーザデバイス３００ａに対するチェック要素は、制御情報ｄ及び第１のユーザデバイスｉ１のアイデンティティに基づくものである。さらに、ユーザデバイス３００ａ，…，３００ｚのグループにおける後続のユーザデバイスの各々３００ｚに対するチェック要素は、制御情報ｄ、後続のユーザデバイスｉｚのアイデンティティ、及びユーザデバイス３００ａ，…，３００ｚのグループにおける前のユーザデバイスに対する前に生成されたチェック要素に基づくものである。
【００７３】
ネットワークノード１００のプロセッサ１０２は、各ユーザデバイス３００ｚに対するチェック要素を制御情報ｄに付加することによって、制御情報メッセージＭを形成するようにさらに構成される。制御情報メッセージＭは、送信機１０４に転送され、ネットワークノード１００の送信機１０４は、無線通信システム５００において、ユーザデバイス３００ａ，…，３００ｚのグループに、制御情報メッセージＭを送信するように構成される。
【００７４】
ネットワークノード１００は、無線ネットワークノード、アクセスノード又はアクセスポイント又は基地局、例えば、無線基地局（ＲＢＳ）であってよい。これは、いくつかのネットワークにおいて、利用される技術及び用語に応じて、送信機、「ｅＮＢ」、「ｅＮｏｄｅＢ」、「ＮｏｄｅＢ」又は「Ｂノード」と称されてよい。無線ネットワークノードは、送信電力に基づいて、これにより、セルサイズにさらに基づいて、例えば、マクロｅＮｏｄｅＢ、ホームｅＮｏｄｅＢ又はピコ基地局のような異なるクラスであってよい。無線ネットワークノードは、ＩＥＥＥ８０２．１１に準拠した、無線媒体（ＷＭ）へのメディアアクセス制御（ＭＡＣ）及び物理層（ＰＨＹ）インタフェースを含む任意のデバイスであるステーション（ＳＴＡ）であってよい。
【００７５】
図２は、対応する方法２００を示す。方法２００は、図１に示されるもののようなネットワークノード１００において実行されてよい。方法２００は、ユーザデバイス３００ａ，…，３００ｚのグループにおける各ユーザデバイス３００ｚに対するチェック要素を生成する段階２０２を備える。ユーザデバイス３００ａ，…，３００ｚのグループにおける第１のユーザデバイス３００ａに対するチェック要素は、制御情報ｄ及び第１のユーザデバイスｉ１のアイデンティティに基づくものである。ユーザデバイス３００ａ，…，３００ｚのグループにおける後続のユーザデバイスの各々３００ｚに対するチェック要素は、制御情報ｄ、後続のユーザデバイスｉｚのアイデンティティ、及びユーザデバイス３００ａ，…，３００ｚのグループにおける前のユーザデバイスに対する前に生成されたチェック要素に基づくものである。方法２００は、各ユーザデバイス３００ｚに対するチェック要素を制御情報ｄに付加することによって、制御情報メッセージＭを形成する段階２０４をさらに備える。方法２００は、最後に、制御情報メッセージＭをユーザデバイス３００ａ，…，３００ｚのグループに送信する段階２０６を備える。
【００７６】
さらに、ユーザデバイス３００ａ，…，３００ｚのグループは、信号対ノイズ比、信号対ノイズ干渉比、伝搬損失、信号対リークノイズ比、及び受信信号強度の１つ又は複数を含む無線チャネル又は無線環境特性に基づいて、形成されてよい。しかしながら、基地局への推定距離、推定経路損失、比例公平スケジューリング基準、期待スループット、レイテンシ等のような他の基準も、ＵＥ３００ａ，…，３００ｚのグループの形成に利用可能である。
【００７７】
ユーザデバイス３００ａ，…，３００ｚのグループは、例えば、同じ又は部分的に重複する無線リソースにおいて、マルチユーザが重畳されるデータチャネルの送信又は受信を共にスケジューリングされるユーザデバイスに適するように、動的な方式、例えば、送信時間間隔ベースで形成されてよい。このような送信スキームの例は、非直交多重アクセス、ならびに多入力多出力（ＭＩＭＯ）送信又は受信及びマルチユーザＭＩＭＯ（ＭＵ−ＭＩＭＯ）の場合を含む。制御情報メッセージＭは、従って、ユーザデバイス３００ａ，…，３００ｚのグループにおける全てのユーザデバイスに対する共通制御情報（例えば、割り当てられた時間−周波数無線リソースの指示）、及び任意選択的に、ユーザデバイス固有の制御情報を含んでよい。
【００７８】
さらに、さらなる実施形態において、ネットワークノード１００の送信機１０４は、さらに、同じ時間及び周波数無線リソースにおいて、ユーザデバイス３００ａ，…，３００ｚのグループに（すなわち、ユーザデバイス３００ａ，…，３００ｚのグループにおける全てのユーザデバイスに）、制御情報メッセージＭを送信するように構成される。本実施形態によれば、制御情報メッセージＭは、マルチキャスト制御情報メッセージとみなされてよい。１つの例示的な場合において、ユーザデバイス３００ａ，…，３００ｚのグループは、時間及び周波数リソースの共通セット又は重複セットにおける重畳された送信又は受信のために選択されたユーザデバイスを含む。この場合、重畳された送信又は受信に対する時間−周波数無線リソースの割り当てのような、制御情報ｄの大部分は、ユーザデバイス３００ａ，…，３００ｚのグループにおける全てのユーザデバイスに共通である。従って、マルチキャスト制御情報メッセージＭにより、制御情報ｄを全てのユーザデバイスに同時にシグナリングすることによって、制御シグナリングオーバヘッドが大幅に減少する。
【００７９】
図３は、本発明の実施形態に係るユーザデバイス３００を示す。ユーザデバイス３００は、この例示的な実施形態において、通信手段３０８により受信機３０４と通信可能に結合されるプロセッサ３０２を備える。通信手段３０８は、図３におけるプロセッサ３０２と受信機３０４との間の点線の矢印として示される。通信手段３０８は、当技術分野で周知の技術に従う。通信手段３０８は、例えば、プロセッサ３０２と受信機３０４との間におけるデータの転送又は制御シグナリングに用いられてよい。この特定の実施形態におけるユーザデバイス３００は、プロセッサ３０２が受信機３０４を動作させる（又は制御する）制御手段３１０をさらに備える。制御手段は、プロセッサ３０２から受信機３０４への矢印により示される。ユーザデバイス３００は、無線通信システム５００における受信のための受信機３０４と結合されるアンテナ手段３０６をさらに備える。任意選択的に、受信機３０４は、図３の実施形態において示される、無線通信システム５００における送信及び受信のためのトランシーバの一部であってよい。
【００８０】
本解決手段によれば、ユーザデバイス３００の受信機３０４は、ユーザデバイス３００ａ，…，３００ｚのグループに対してアドレス指定された制御情報メッセージＭを受信するように構成される。制御情報メッセージＭは、前述されたように、制御情報ｄ、及び制御情報メッセージＭがアドレス指定されたユーザデバイス３００ａ，…，３００ｚのグループにおける各ユーザデバイス３００ｚに対するチェック要素を含む。ユーザデバイス３００ａ，…，３００ｚのグループにおける各ユーザデバイス３００ｚに対するチェック要素は、制御情報ｄに付加される。制御情報メッセージＭは、ユーザデバイス３００のプロセッサ３０２に転送される。
【００８１】
ユーザデバイス３００のプロセッサ３０２は、制御情報メッセージＭに対して冗長チェックを計算することによって、チェック要素検出を実行するように構成される。ユーザデバイス３００のプロセッサ３０２は、制御情報ｄ＝（ｄ１，…，ｄＮ）の一番左のビットから開始することによって、制御メッセージＭのビットを連続的に処理する。各ビットｄｉは、ＣＲＣチェックデバイス（不図示）に供給される。これは、Ｗビットのテストチェック要素を、制御情報における現在の及び前のビット、及びユーザデバイス３００のアイデンティティｉｚの関数として、計算する。プロセッサ３０２によって計算されたテストチェック要素が、受信された制御メッセージにおいて、プロセッサ３０２によってテストチェック要素を計算するために用いられた最後のビットの位置に続くＷビットと一致する場合、チェック要素は、受信された制御メッセージにおいて検出され、チェックの合格が宣言され、チェック要素検出手続きが終了する。さもなければ、後続のビット（ｄｉ＋１）は、ＣＲＣチェックデバイスに供給され、新たなテストチェック要素が計算される。チェック要素検出手続きは、受信された制御メッセージＭにおいてチェック要素が検出された場合、又は制御メッセージにおける残りのビット数がＷより小さい場合に終了する。
【００８２】
ユーザデバイス３００のプロセッサ３０２は、制御情報メッセージＭから制御情報ｄを導出し、冗長チェックが肯定的である場合に、他のユーザデバイスのチェック要素を破棄するようにさらに構成される。ユーザデバイス３００のプロセッサ３０２は、導出された制御情報ｄに基づいて、無線通信システム５００において通信を行うようにさらに構成される。
【００８３】
図４は、対応する方法４００を示す。方法４００は、図３に示されるもののようなユーザデバイス３００において実行されてよい。方法４００は、ユーザデバイス３００ａ，…，３００ｚのグループに対してアドレス指定された制御情報メッセージＭを受信する段階４０２を備える。制御情報メッセージＭは、制御情報ｄ、及びユーザデバイス３００ａ，…，３００ｚのグループにおける各ユーザデバイス３００ｚに対するチェック要素を含み、ユーザデバイス３００ａ，…，３００ｚのグループにおける各ユーザデバイス３００ｚに対するチェック要素は、制御情報ｄに付加される。方法４００は、ユーザデバイス３００のアイデンティティｉｚ、ならびにユーザデバイス３００に対するチェック要素の前の、制御情報メッセージＭにおける全ての制御情報及びチェック要素に基づいて、制御情報メッセージＭに対して冗長チェックを実行する段階４０４をさらに備える。方法４００は、制御情報メッセージＭから制御情報ｄを導出し、冗長チェックが肯定的である場合に、他のユーザデバイスのチェック要素を破棄する段階４０６をさらに備える。方法４００は、最後に、導出された制御情報ｄに基づいて、無線通信システム５００において通信を行う段階４０８を備える。
【００８４】
ＣＲＣチェック手続きは、以下の例に従って、実行可能である。ユーザデバイス３００のＣＲＣデバイス（不図示）は、Ｗビット（Ｗは、ＣＲＣワードのビット数に等しい）の内部状態変数を有する。これは、各ＣＲＣチェックオペレーションの最初に、全てゼロに初期化される。ＣＲＣチェックデバイスは、制御情報ｄ＝（ｄ１，…，ｄＮ）の一番左のビットから開始することによって、特定の終了条件が満たされるまで、制御情報メッセージＭを含むＤＣＩパケットのビットを連続的に処理する。各ビットｄｉは、ＣＲＣチェックデバイスに供給される。これは、前のＣＲＣ状態及び入力ビットｄｉの関数として、新たなＷビットのＣＲＣ状態を計算する。新たなＣＲＣ状態は、次に、ユーザデバイス３００のアイデンティティ（例えば、ＲＮＴＩ）を用いてスクランブルされ、受信された制御メッセージＭにおいてｄｉに続くＷビット（すなわち、ｄｉ＋１，…，ｄｉ＋Ｗ）と比較される。この比較に成功すると、ＣＲＣチェックが宣言され、ＣＲＣチェックオペレーションが終了する。さもなければ、後続のビット（ｄｉ＋１）がＣＲＣチェックデバイスに供給される。手続きは、ＣＲＣチェックの条件に到達するまで、又は最大数のビットがＣＲＣチェックデバイスに供給されるまで繰り返される。
【００８５】
ユーザデバイス３００の実施形態において、プロセッサ３０２は、さらに、制御情報ｄに含まれるユーザデバイス３００ａ，…，３００ｚのグループに対する共通制御情報ｄｃ、及び制御情報ｄに含まれるユーザデバイス３００に対するユーザデバイス固有の制御情報ｄｚのいずれかを導出するように構成される。これは、制御情報ｄが、共通制御情報ｄｃのみ、又はユーザデバイス固有の制御情報ｄｚのみ、又は共通制御情報ｄｃ及びユーザデバイス固有の制御情報ｄｚの両方を含んでよいことを意味する。
【００８６】
実施形態によれば、プロセッサ３０２は、さらに、共通制御情報ｄｃ、及び制御情報ｄに含まれるユーザデバイス３００ａ，…，３００ｚのグループにおける少なくとも１つの他のユーザデバイスに対するユーザデバイス固有の制御情報ｄｚに基づいて、ユーザデバイス３００に対するユーザデバイス固有の制御情報ｄｚを導出するように構成される。１つの例示的な場合において、制御メッセージＭは、マルチユーザが重畳された送信を介して、時間−周波数リソースの共通セットにおいてデータチャネル情報を受信（又は送信）するように選択された２つのユーザデバイス（３００ａ、３００ｂ）に対して、アドレス指定可能である。ここで、時間−周波数リソースの共通セットにおける送信のために用いられる合計送信電力Ｐは、Ｐ＝Ｐａ＋Ｐｂと分割され、Ｐａ及びＰｂは、それぞれ、ユーザデバイス３００ａ及び３００ｂのデータチャネルのために用いられる送信電力である。ユーザデバイス３００ａ及び３００ｂは、これらのデータチャネル情報をデコード可能とするために、割り当てられた電力Ｐａ及びＰｂを認識する必要がある。シグナリングオーバヘッドを減少させるために、制御メッセージＭは、ユーザデバイス固有の制御情報Ｐａ（又は同様にＰｂ）のみを含むように形成されてよく、Ｐｂ（又は同様にＰａ）は、本実施形態に係るユーザデバイス３００ｂ（又は同様に３００ａ）によって、Ｐｂ＝Ｐ−Ｐａ（又は同様にＰａ＝Ｐ−Ｐｂ）として導出されてよい。
【００８７】
本発明の実施形態において、本ユーザデバイス３００は、無線通信システムにおいて無線通信を行うことを可能とされるユーザ機器（ＵＥ）、移動局（ＭＳ）、無線端末又はモバイル端末のいずれかであってよく、時に、セルラ無線システムとも称される。ＵＥは、さらに、モバイル電話、セルラ電話、コンピュータタブレット、又は無線機能を有するラップトップと称されてよい。本文脈におけるＵＥは、無線アクセスネットワークを介して、他の受信機又はサーバのような他のエンティティと音声又はデータ通信を行うことを可能とされる、例えば、ポータブル、ポケット内収容可能、ハンドヘルド、コンピュータ搭載、又は車載モバイルデバイスであってよい。ＵＥは、ＩＥＥＥ８０２．１１に準拠した、無線媒体（ＷＭ）へのメディアアクセス制御（ＭＡＣ）及び物理層（ＰＨＹ）インタフェースを含む任意のデバイスであるステーション（ＳＴＡ）であってよい。
【００８８】
さらに、本発明の実施形態によれば、ネットワークノード１００のプロセッサ１０２は、さらに、ユーザデバイス３００ａ，…，３００ｚのグループに対するチェック要素が生成された順序に従って、ユーザデバイス３００ａ，…，３００ｚのグループに対するチェック要素を付加することによって、制御情報メッセージＭを形成するように構成される。
【００８９】
本発明の実施形態によれば、プロセッサ１０２は、後続のユーザデバイス３００ｚのアイデンティティｉｚ、ならびに後続のユーザデバイス３００ｚに対するチェック要素の前の、制御情報メッセージＭにおける全ての制御情報及びチェック要素に基づいて、後続のユーザデバイス３００ｚに対するチェック要素を生成するように構成される。
【００９０】
従って、我々は、第１の制御情報メッセージ（例えば、ＤＣＩパケット）［ｄ，ｃ１］に対して、送信される制御メッセージＭが［ｄ，ｃ１，ｃ２］となるように、
ｃ２＝ＣＲＣ（ｄ，ｃ１；ｉ２）
と計算された第２のチェック要素（例えば、ＣＲＣワード）を付加する。
【００９１】
２つより多くのユーザデバイスがアドレス指定されなければならない場合、このエンコード処理が反復され、図５に示されるように、複数のチェック要素フィールドを有する制御メッセージＭを取得する。概して、第ｚのユーザデバイス３００ｚに対する第ｚのチェック要素は、
ｃｚ＝ＣＲＣ（ｄ，ｃ１，…，ｃｚ−１；ｉｚ）
と計算される。ここで、ｉｚは、第ｚのユーザデバイスのユーザデバイス識別子である。
【００９２】
第１のユーザデバイス３００は、ｃ１の最後のビットが処理された後、制御メッセージＭの検出に成功し、次に、ｄを読み出す。実行されなければならないブラインドデコードの試行を減少させるために、ユーザデバイス３００は、次の制御メッセージの処理を開始する前に、ｃ１に続くＷ（Ｚ−１）ビットをスキップしてよい。この目的のために、現在の制御メッセージＭがアドレス指定されるユーザデバイスの数を含む、制御メッセージＭにおけるフィールドを、制御メッセージＭのデータフィールドｄに追加することが好適である。
【００９３】
従って、本発明の実施形態によれば、ユーザデバイスの数についての情報が制御情報メッセージＭに含まれる。従ってネットワークノード１００は、このような情報を制御情報メッセージに含めるように構成されてよい。
【００９４】
第２のユーザデバイスは、ｃ２の最後のビットが処理された後で、制御メッセージＭをブラインド検出し、次に、ｄを読み出し、ｃ１を破棄し、場合により、ｃ２に続くＷ（Ｚ−２）ビットをスキップする。他のユーザデバイスに対しては、第２のユーザデバイスと同じブラインド検出アルゴリズムが利用可能である。
【００９５】
この実施形態、及び以下の実施形態の結果として、同じダウンリンク制御情報が、異なるアイデンティティ（ＲＮＴＩ）ｉ１からｉｚに対応するユーザデバイスにマルチキャストされる。これは、制御チャネル（例えば、ＬＴＥシステムにおけるＰＤＣＣＨ又はＥＰＤＣＣＨ）の無線リソースのような同じ時間及び周波数無線リソースにおいて、制御情報メッセージＭをユーザデバイス３００ａ，…，３００ｚのグループ（の各ユーザデバイス）に送信するように、ネットワークノード１００における送信機を構成することによって、効率的に実現可能である。
【００９６】
本発明のさらなる実施形態において、制御情報ｄは、図６及び７に示されるように、共通制御情報ｄｃ、及びそれぞれ、合計でＺのユーザに対するユーザ固有の制御情報ｄ１，…，ｄＺを含む。
【００９７】
Ｎ＋（Ｐ＋Ｗ）×Ｚビットの合計長さ内で、ｄｃの長さ及び各ユーザデバイス固有の制御情報の割り当てが、対応するユーザデバイスに認識されている場合、第ｚのチェック要素ｃｚは、
ｃｚ＝ＣＲＣ（ｄｃ，ｄ１，ｃ１，…，ｄｚ−１，ｃｚ−１，ｄｚ；ｉｚ）
と計算される。ここで、ｉｚは、ＬＴＥシステムのＲＮＴＩのような、第ｚのユーザデバイスのアイデンティティである。ブラインド検出は、これに対応して、受信された合計Ｎ＋（Ｐ＋Ｗ）×Ｚビットにおいて、対応するｄｃ、ｄｚ、及びｃｚをとることによって試行可能である。ここで、Ｎは、共通制御情報ｄｃのビット数であり、Ｐは、ユーザ固有の制御情報ｄＺのビット数であり、Ｗは、ＣＲＣワードｃｚのビット数である。
【００９８】
図６に示されるように、一実施形態において、グループにおける全てのユーザデバイス３００ａ，…，３００ｚに対するユーザデバイス固有の制御情報ｄｚは、共通制御情報ｄｃに連続的に付加される。グループにおける全てのユーザデバイスに対するチェック要素は、ユーザデバイス固有の制御情報ｄｚに連続的に付加される。従って、ネットワークノード１００のプロセッサ１０２は、各ユーザデバイス３００ｚに対するチェック要素を連続的に付加する前に、各ユーザデバイス３００ｚに対するユーザデバイス固有の制御情報ｄｚを共通制御情報ｄｃに連続的に付加することによって、制御情報メッセージＭを形成するように構成される。
【００９９】
図７に示されるように、一実施形態において、１つのユーザデバイス３００ｚに対するユーザデバイス固有の制御情報ｄｚは、同じユーザデバイス３００ｚに対するチェック要素の直前に配置される。各ユーザデバイスに対するユーザデバイス固有の制御情報ｄｚ及びユーザデバイス３００のチェック要素のペアが、共通制御情報ｄｃに付加される。従って、ネットワークノード１００のプロセッサ１０２は、さらに、関連付けられたユーザデバイス固有の制御情報ｄｚと交互に配置された、各ユーザデバイス３００ｚに対するチェック要素を連続的に付加することによって、制御情報メッセージＭを形成するように構成される。
【０１００】
従って、冗長チェックが肯定的である場合に、ユーザデバイス３００は、制御メッセージＭの先頭から開始して、Ｎビットの長さにわたる共通制御情報を読み出し、それ自体のＣＲＣワードに先行する１番目のビットから開始して遡って、Ｐビットの長さにわたるそれ自体のユーザ固有の制御情報を読み出すことができることを認識する。
【０１０１】
本発明のさらなる実施形態において、制御情報ｄは、共通制御情報ｄｃ、及びユーザデバイス３００ａ，…，３００ｚのグループにおける少なくとも１つのユーザデバイス３００ｚに対するユーザ固有の制御情報ｄｚを含む。これは、図８及び９に示される。ここで、ユーザデバイス３００ａ，…，３００ｚのグループにおいて、Ｋ＜ＺであるＫ個のユーザデバイスが、ユーザ固有の制御情報ｄｚを有する。
【０１０２】
図８の実施形態において、制御情報メッセージＭは、共通制御情報ｄｃで開始し、連続的に付加されたＫ個のユーザデバイスに対するユーザ固有の制御情報ｄｋが続く。最後に、Ｚ個のユーザデバイスに対するチェック要素が、Ｋ個のユーザデバイスに対するユーザ固有の制御情報ｄｋに連続的に付加される。従って、本実施形態に係るネットワークノード１００のプロセッサ１０２は、各ユーザデバイス３００ｚに対するチェック要素を生成するようにさらに構成される。第１のユーザデバイス３００ａに対するチェック要素は、共通制御情報ｄｃ、第１のユーザデバイスｉ１がユーザデバイスのサブグループに属する場合には第１のユーザデバイスに対するユーザデバイス固有の制御情報ｄ１、及び第１のユーザデバイスのアイデンティティに基づくものである。第１のユーザデバイスの後の後続のユーザデバイスの各々３００ｚに対するチェック要素は、共通制御情報ｄｃ、後続のユーザデバイス３００ｚがユーザデバイスのサブグループに属する場合には後続のユーザデバイスに対するユーザデバイス固有の制御情報ｄｚ、及び前のユーザデバイスに対するユーザデバイス固有の制御情報ｄｚ、後続のユーザデバイスのアイデンティティ、及び前のユーザデバイスに対する前に生成されたチェック要素に基づくものである。換言すると、本実施形態は、ユーザデバイスのグループ（Ｚ個のユーザデバイスを含む）のうち、制御情報メッセージＭがアドレス指定されたサブグループ（Ｋ個のユーザデバイス）に対してのみ、ユーザデバイス固有の制御情報が付与されることを可能にする。
【０１０３】
図９の実施形態において、制御情報メッセージＭは、共通制御情報ｄｃで開始し、Ｋ個のユーザデバイスにおける各ユーザデバイスに対するユーザ固有の制御情報ｄｋ及びチェック要素のペアが続く。説明されたペアは、連続的に付加される。最後に、制御情報メッセージＭにおいて、ユーザ固有の制御情報ｄｋを有さないユーザデバイスに対するチェック要素ｃｋ＋１…ｃｚが、連続的に付加される。従って、本実施形態に係るネットワークノード１００のプロセッサ１０２は、さらに、ユーザデバイスがユーザデバイスのサブグループに属する場合に、各ユーザデバイス３００ｚに対するチェック要素を、関連付けられたユーザデバイス固有の制御情報ｄｚｋと共に連続的に付加することによって、制御情報メッセージＭを形成するように構成される。
【０１０４】
図１０は、本発明の実施形態に係る無線通信システム５００を示す。ネットワークノード１００は、ユーザデバイス３００ａ，…，３００ｚのグループにサービスする。本解決手段によれば、制御情報メッセージＭは、ネットワークノード１００からユーザデバイス３００ａ，…，３００ｚのグループに送信される。制御情報メッセージＭは、本発明の実施形態に係る任意のフォーマットを有してよい。ユーザデバイス３００ａ，…，３００ｚのグループは、制御情報メッセージＭを受信し、制御情報メッセージＭのＣＲＣチェックを実行する。ＣＲＣチェックに成功すると、ユーザデバイス３００ａ，…，３００ｚのグループは、制御情報メッセージＭにおける制御情報ｄに従って、無線通信システム５００において通信を行う。
【０１０５】
さらに、本発明に係るあらゆる方法は、処理手段によって実行された場合に、方法の段階を処理手段に実行させるコード手段を有するコンピュータプログラムで実装されてよい。コンピュータプログラムは、コンピュータプログラム製品のコンピュータ可読媒体に含まれる。コンピュータ可読媒体は、ＲＯＭ（リードオンリメモリ）、ＰＲＯＭ（プログラマブルリードオンリメモリ）、ＥＰＲＯＭ（消去可能ＰＲＯＭ）、フラッシュメモリ、ＥＥＰＲＯＭ（電気的消去可能ＰＲＯＭ）、又はハードディスクドライブのような、任意のメモリを本質的に含んでよい。
【０１０６】
さらに、当業者であれば、本受信機デバイスが、本解決手段を実行するために、例えば、機能、手段、ユニット、要素等の形式の必要な通信機能を備えることが理解される。このような他の手段、ユニット、要素及び機能の例は、プロセッサ、メモリ、バッファ、制御ロジック、エンコーダ、デコーダ、レートマッチャ、デレートマッチャ、マッピングユニット、乗算器、決定ユニット、選択ユニット、スイッチ、インタリーバ、デインタリーバ、モジュレータ、デモジュレータ、入力、出力、アンテナ、増幅器、受信機ユニット、送信機ユニット、ＤＳＰ、ＭＳＤ、ＴＣＭエンコーダ、ＴＣＭデコーダ、電力供給ユニット、電力フィーダ、通信インタフェース、通信プロトコル等であり、これらは、本解決手段を実行するために、共に適切に配置される。
【０１０７】
特に、本受信機デバイスのプロセッサは、例えば、中央処理装置（ＣＰＵ）、処理ユニット、処理回路、プロセッサ、特定用途向け集積回路（ＡＳＩＣ）、マイクロプロセッサ、又は命令を解釈及び実行し得る他の処理ロジックのうち１つ又は複数の例を含む。「プロセッサ」という表現は、従って、例えば、上述されたもののいずれか、いくつか、又は全てのような、複数の処理回路を含む処理回路を表してよい。処理回路は、呼び出し処理制御、ユーザインタフェース制御等のようなデータバッファリング及びデバイス制御機能を含む、データの入力、出力、及び処理のためのデータ処理機能をさらに実行してよい。
【０１０８】
最後に、本発明は、上述された実施形態に限定されるものではなく、さらに、添付された独立請求項の範囲内にある全ての実施形態に関し、これらを組み込むことを理解されたい。
【図１】
0006502531.tif 000002
【図２】
0006502531.tif 000003
【図３】
0006502531.tif 000004
【図４】
0006502531.tif 000005
【図５】
0006502531.tif 000006
【図６】
0006502531.tif 000007
【図７】
0006502531.tif 000008
【図８】
0006502531.tif 000009
【図９】
0006502531.tif 000010
【図１０】
0006502531.tif 000011